(57)【要約】      （修正有）【課題】旗の端縁に損傷や亀裂を発生させずに、旗本体を大きな保持力で挟持可能な旗のクリップを提供する。【解決手段】一対の押圧部材１、２の対向面に滑り止め部材４、５が設けられ、押圧部材１、２のそれぞれを、押圧付勢部材３によって滑り止め部材４、５どうしを圧接する方向に付勢する。【選択図】図４
2006178217.tif 000002
【特許請求の範囲】
【請求項１】
薄い生地で形成されるのぼり旗、吊り旗等の旗の端縁を挟持する旗クリップ装置であって、
少なくとも一方の挟持面にエラストマー樹脂からなる滑り止め層の形成された前記旗の端縁を挟持する一対の押圧部材と、
前記旗の端縁を挟持した前記押圧部材のそれぞれを、互いの挟持面の方向に押圧付勢する押圧付勢部材と
を備えることを特徴とする旗クリップ装置。
【請求項２】
前記押圧付勢部材が、ねじりばねであることを特徴とする請求項１に記載の旗クリップ装置。
【請求項３】
前記押圧付勢部材が、対向する割り面に前記各押圧部材を挟持面を対向させて固着した外周に螺条の形成された割りボルトと、前記割りボルトの螺条にねじ込まれて、前記割りボルトで前記各押圧部材どうしを締め付けるナット部材からなることを特徴とする請求項１に記載の旗クリップ装置。
【請求項４】
前記押圧付勢部材が、対向する割り面に前記押圧部材を挟持面を対向させて固着した二つ割りの棒状部材と、前記棒状部材に一端側から被嵌されて前記二つ割り部材を締め付ける管状部材からなることを特徴とする請求項１に記載の旗クリップ装置。
【請求項５】
前記押圧付勢部材の一対の挟持面がほぼ同寸の円形であることを特徴とする請求項１乃至4のいずれか１項記載に記載の旗クリップ装置。
【発明の詳細な説明】
【技術分野】
【０００１】
本発明は、薄い生地で形成されるのぼり旗等の旗の端縁を挟んで面保持する旗クリップ装置に関する。
【背景技術】
【０００２】
従来から、店舗の営業案内や商品に関する広告媒体として、屋外では縦長状のぼり旗が広く用いられている。また、室内や戸外における広告用、装飾用、通路案内用などとして各種の吊り旗が広く用いられている。
【０００３】
これらのうち、のぼり旗は、広告文字等を表示した縦長状に形成された柔軟な布地と、この布地の縦方向の一側部および上側部に複数の乳輪を持ち、これらの乳輪に縦竿および横竿にそれぞれ通すことにより構成される。このため、縦竿を店先等に立て付けると、布地は風を受けてはためき、広告効果を具現する。
【０００４】
また、吊り旗は、これの一側部に設けた乳輪を、水平に張り渡したロープや竿に通して係止させたり、或いは旗の上部に取着紐を取り付け、この取着紐をロープやワイヤーに取り付けて装着される。これによって、広告機能、装飾機能、通路案内機能を具現する。
【０００５】
ところで、前記乳輪は、のぼり旗等に対し糸で縫い付けて一体的に取り付けられる。このため、のぼり旗の製造工程が増え、コストアップになる。このような点を考慮して、一端側に縦竿や横竿に挿入可能なリング状のばね部を持ち、V字状に拡開し端部が折曲されて交差するねじりばねの他端側に一対のクリップ片を対向的に固着し、このクリップ片間に旗を挟持させたる旗クリップ装置が知られている（例えば、特許文献１参照）。この旗クリップ装置は、V字状の部分を互いに接近するように手で押し縮めることによりクリップ片の挟持部が拡開し手を離すと挟持部が閉じてねじりばねの弾弾力により旗を挟持する。
【０００６】
ところが、この旗クリップ装置は、クリップ片が金属性で滑るため、強風を受けると旗の端縁が滑って抜け落ち易いという不都合があった。このため、挟むクリップ表面に凹凸を形成したものも提案されているが、このような装置で竿に係止された旗は、もともと薄手の滑りやすいポリエステル系の生地からできているため、使用中に、クリップ表面の凸部近傍の繊維だけが押さえられて凹部の繊維は風力で引っ張られてずれが生じ、旗面に皺が生じたり、歪みが発生するという問題があった。
また、この抜け落ちを回避するため、各クリップ片の旗の端縁を挟む面側に旗の端縁に食い込む、先端が鋭利な突起や針を設けたものも提案されている。
【特許文献１】実開平０７−００１４８８号
【０００７】
しかしながら、このように旗を挟む面側に鋭利な突起や針を設けたものにあっては、これらが旗の端縁に食い込む際に、旗の端縁に孔を開けたり、傷を付けたりして、この食い込む部位で旗の強度が弱くなってしまう。このため、強風を受けて旗に大きな張力が作用すると、前記孔や傷がある部位から引き裂かれたり、旗面に皺が生じたり、歪みが発生するという問題があった。
【発明の開示】
【発明が解決しようとする課題】
【０００８】
本発明は前記のような従来の問題を解決するものであり、旗の端縁を挟んで面保持することによって旗面本体の保持力を具現できるとともに、旗の端縁に損傷や亀裂を発生させることなく、旗面本体の耐久性を向上することがきる旗クリップ装置を提供することを目的とする。
【課題を解決するための手段】
【０００９】
前記目的達成のために、請求項１の発明にかかる旗クリップ装置は、薄い生地で形成されるのぼり旗、吊り旗等の旗の端縁を挟持する旗クリップ装置であって、少なくとも一方の挟持面にエラストマー樹脂からなる滑り止め層の形成された前記旗の端縁を挟持する一対の押圧部材と、前記旗の端縁を挟持した前記押圧部材のそれぞれを、互いの挟持面の方向に押圧付勢する押圧付勢部材とを備えることを特徴とする。
【００１０】
本発明によれば、エラストマー樹脂からなる滑り止め層の形成された押圧部材で旗の表裏両面を挟持するため、強風を受けて旗に強い張力が作用しても押圧部材がエラストマー樹脂を介して旗を全面で均一に保持するため、旗が旗クリップ装置から脱落したり、引き裂かれたり、旗面に皺が生じたり、歪みが発生したりする不都合は全く発生しない。
【００１１】
また、請求項２の発明にかかる旗クリップ装置は、押圧付勢部材が、ねじりばねであることを特徴とする。
【００１２】
これにより、旗の端縁に対する滑り止め部材の接触圧を極めて簡単、安価な構成にて十分に確保できる。また、ねじりばねが縦竿や横竿に挿入されてのぼり旗として用いられたときには、強風を受けた際、ねじりばねが反発力を高める方向に変形するため、前記接触圧を更に高めることができる。
【００１３】
また、請求項３の発明にかかる旗クリップ装置は、押圧付勢部材が、対向する割り面に前記各押圧部材を挟持面を対向させて固着した外周に螺条の形成された割りボルトと、前記割りボルトの螺条にねじ込まれて、前記割りボルトで前記各押圧部材どうしを締め付けるナット部材からなることを特徴とする。
【００１４】
これにより、ナット部材のねじ込み量に応じて、滑り止め部材の旗の端縁に対する接触圧を任意の大きさに設定できる。
【００１５】
また、請求項４の発明にかかる旗クリップ装置は、押圧付勢部材が、対向する割り面に前記押圧部材を挟持面を対向させて固着した二つ割りの棒状部材と、前記棒状部材に一端側から被嵌されて前記二つ割り部材を締め付ける管状部材からなることを特徴とする。
【００１６】
これにより、圧入部材の圧入のためのワンタッチ操作にて、滑り止め部材の旗の端縁に対する接触圧を迅速かつ十分に確保することができる。
さらに、請求項５の旗クリップ装置は、前記押圧付勢部材の一対の挟持面がほぼ同寸の円形であることを特徴とする。
これにより、押圧付勢部材と旗の生地の相対位置がずれても生地は常に均等な把持力で把持され、旗面に皺が生じたり、歪みが発生したりすることがない。
【発明の効果】
【００１７】
本発明の旗クリップ装置は、少なくとも一方の挟持面にエラストマー樹脂からなる滑り止め層の形成された押圧部材で旗の端縁を挟持するようにしたので、旗の生地がエラストマー樹脂との摩擦力により係止され、滑り止め部材が押圧付勢部材の押圧力を受けて、布製の旗本体を両面から高い摩擦力で挟むため、強風を受けて旗本体が大きくたなびいても、旗本体は旗クリップ装置から脱抜することは全くない。また、この滑り止め部材の旗の端縁に対する挟圧が面的に行われるため、旗の端縁に傷が付くことがなく、強風を受けても旗の端縁が傷口から裂けるなどの従来の不都合を解消できる。
【発明を実施するための最良の形態】
【００１８】
以下に、本発明の実施の形態を図面を参照して説明する。
図１〜３は、各実施の態様に適応する本発明の旗グリップ装置の使用状態を示す外観図で、図１は本発明の旗グリップ装置をバナーに使用した状態を示す外観図、図２は本発明の旗グリップ装置をのぼりに使用した状態を示す外観図、図３は本発明の旗グリップ装置をスイングバナーに使用した状態を示す外観図である。
（実施の形態１）
図４は本発明の実施の形態１による旗クリップ装置を示す正面図である。図２において、旗クリップ装置は、第１の押圧部材１と、第２の押圧部材２と、ねじりばね３と、滑り止め部材４、５とを備えている。
【００１９】
これらのうち、前記第１の押圧部材１は、図５、図６および図７に示すように略円板状をなし、上面は円弧状に膨らんだ形状をなす。この第１の押圧部材１の一部には、図５に示すような切欠部６が形成されている。
【００２０】
この切欠部６下方には、第１の押圧部材１の下面に連続するように、図５に示すＬ字形ガイド片７が垂下するように、一体に設けられている。Ｌ字形ガイド片７の水平部７ａ上面には上方に開口する小形のばね受け切欠８が設けられている。
【００２１】
前記第２の押圧部材２は、図８、図９および図８に示すように、略円板状をなし、第１の押圧部材１と同じく下面は円弧状に膨らんでいる。この第２の押圧部材の一部には、図８および図１０に示すようなブリッジ部９が上方へ垂直に突出するように一体に設けられている。このブリッジ部９の水平部９ａ下面には、下方に開口する小形のばね受け切欠１０が設けられている。
【００２２】
前記第１の押え板１および第２の押え板２は、それぞれ円板状部を合わせるようにして、図１１に示すように、Ｌ字形ガイド片７がブリッジ部９内に挿入されるように、組み付けられている。従って、このブリッジ部９内において、Ｌ字形ガイド片７は上下移動自在となる。
【００２３】
前記ねじりばね３は、ばね線を２重または３重巻きしたリング部３ａを中心に、Ｖ字状に延びるように形成したものからなる。このねじりばね３の両端は略Ｌ字状に屈曲されて、図４および図１０に示すように、ばね受け切欠８および１０にそれぞれ係止される。このため、このねじりばね３の反発力を受けて、第1の押圧部材１および第２の押圧部材２が、すべり止め膜４、５を介して互いに圧接する方向に付勢される。
【００２４】
前記すべり止め膜４、５は、柔軟性、弾性に富み、摩擦抵抗の大きいエラストマー樹脂からなり、塗布によりまたはシート状にしたものを貼着することによって、第１の押圧部材１および第２の押圧部材２の平滑な対向面側にそれぞれ設けられる。
【００２５】
このように構成された旗クリップ装置では、常時は、ねじりばね３の反発力を受けて、第１の押圧部材１が下方に付勢され、第２の押圧部材２が上方に付勢され、図１２に示す状態となる。このとき、第１の押圧部材１および第２の押圧部材２の各滑り止め部材４、５はそれぞれ圧接される。
【００２６】
そこで、この旗クリップ装置に旗を取り付ける場合には、２本の指先で、図４に示すガイド片７端とブリッジ部９端を同時に挟圧する。これにより、第１の押圧部材１および第２の押圧部材２の各滑り止め枠４、５が、ねじりばね３の反発力に抗して、図４および図１１に示すように開く。そこで、これらの滑り止め部材４、５間に旗本体の縁を挿入し、指をガイド片７端およびブリッジ部９端から離す。
【００２７】
これにより、旗本体は、滑り止め部材４、５間にねじりばね３の反発力を受けて挟圧され、この挟圧状態が保持される。そして、同様の作業を旗本体の縁の別の必要箇所に繰り返し実施する。
また、全ての旗クリップ装置を旗本体に取り付け終わった上で、ねじりばね３のリング部３ａを縦竿や横竿に通してのぼり旗が完成する。
【００２８】
このような構成になるのぼり旗では、旗本体の保持のために、旗クリップ装置に鋭利な突起や針を用いない。また、表面が滑らかで摩擦抵抗の大きい滑り止め部材を用いる。このため、強風を受けても旗クリップ装置から旗本体が脱抜や脱落することはない。また、片手の指操作により旗本体の保持および保持解除を容易、迅速に行える。
次に、エラストマー樹脂による滑り止め部材の効果を確認するための模擬の比較実験を行った。
まず、滑り止め部材試料として、25mm X 25mm X 1mmのエラストマー樹脂シート[
持田商工株式会社  商品名  ＧＴシート](試料1)、板ゴム(試料2)、ウレタンゴムシート(試料3)を、旗生地試料として、普通の旗に用いられるテトロンポジ75/75d(ポリエステル系生地の商品名)を、それぞれ用意し、旗生地試料の両側に滑り止め部材試料を当て、両側から1kg/cm2で加圧しながら固定しておき、この状態で旗生地を引っ張って、旗生地が抜け出たときの張力を測定した。
試験結果は、次のとおりであった。
試料1/試料1     6.2kg
試料2/試料2     2.8kg
試料3/試料3     2.0kg
試料1/試料2     4.8kg
なお、上記の測定値は、20℃で5回繰り返し測定器した結果の平均値である。
【００２９】
（実施の形態２）
次に、本発明の実施の形態２による旗クリップ装置について説明する。
この旗クリップ装置は、図１３および図１〜３に示すように、半円形断面の軸部１１およびねじ部１２と、略四角形の押え板１３とを一体に有する２つの押圧部材（第１の押圧部材および第２の押圧部材）１４を対向配置したものからなる。各押え板１３には、互いに対向する平面にそれぞれ滑り止め部材１５が設けられている。なお、これらの滑り止め部材１５は所定の厚みを持ち、この厚み分だけ、軸部１１やねじ部１２の互いに対向する平面より突出している。また、２つの押圧部材１４の各ねじ部１２には、図１３に示すように、蝶ナット１６がねじ込まれる。
【００３０】
この旗クリップ装置にあっては、エラストマー樹脂からなる各滑り止め部材１５，１５間に旗本体の縁部を挿入し、各ねじ部１２に軸部１１側から蝶ナット１６を挿入する。また、各滑り止め部材１５，１５間に旗本体の縁部を挿入し、各ナット部１２に蝶ナット１６を所定長までねじ込む。これにより、各押え板１３が互いに接近し、遂には滑り止め部材１５，１５間の旗本体を両面から挟圧し、これを強い摩擦抵抗で保持する。
【００３１】
従って、この構成になる旗クリップ装置では、各軸部１１に予め形成された各小孔１７に係止リングを挿通するなどして、これを縦竿や横竿、あるいはロープなどに吊り下げることにより、のぼり旗や吊り旗を簡単に形成できる。この場合に、各押え板１３を、図１５に示すように略円板状の押え板１８とすることも任意である。
【００３２】
（実施の形態３）
続いて、本発明の実施形態３による旗クリップ装置について説明する。
この旗クリップ装置は、図１７、図１８、図１９に示すように、半円形断面または矩形断面の軸部１９および略四角形の押え板２０を一体に有する２つの押圧部材（第１の押圧部材および第２の押圧部材）２１を、対向配置したものからなる。
【００３３】
各押圧部材２１は右半分の互いに対向する面に、それぞれ滑り止め部材２２が設けられている。なお、これらの滑り止め部材２２は所定の厚みを持ち、この厚み分だけ軸部１９の互いに対向する面より突出している。また、２つの軸部１９の外周には、これの左端から筒状部材２４に弾性を付与するスリット２３を持つ筒状部材２４が圧入される。
【００３４】
この筒状部材２４は、図１８および図１９に示す形態をなし、これが２つの軸部１９に圧入されると、図１９および図２０に示すように、各滑り止め部材２２を互いに圧接状態にする。このため、これらの滑り止め部材２２、２２間に旗本体の縁を挿入した後、前記筒状部材２４の圧入を行えば、この旗本体は軸部２１，２１間において各滑り止め部材２２により、確実かつ堅固に保持される。この場合には、筒状部材２４のワンタッチの圧入作業により、各押圧部材２１，２１間に旗本体を簡単、迅速に保持することができる。
なお、各軸部１９の基端には小孔２５が設けられており、これらに係止リングを取り付け、この係止リングを縦竿や横竿、あるいはロープに吊りさ下げることにより、のぼり旗とすることができる。
【００３５】
以上のように、一対の押圧部材の対向面に滑り止め部材が設け、押圧部材のそれぞれを、押圧付勢部材により前記滑り止め部材どおしを圧接する方向に押圧付勢するようにしたことで、滑り止め部材間に介在させた旗の端縁に対する保持力を十分に確保することができるとともに、旗の端縁に損傷や亀裂が発生するのを防止できる。
【図面の簡単な説明】
【００３６】
【図１】本発明の旗グリップ装置の使用状態を示す外観図。
【図２】本発明の旗グリップ装置の使用状態を示す外観図。
【図３】本発明の旗グリップ装置の使用状態を示す外観図。
【図４】本発明の実施の形態１による旗クリップ装置を示す正面図。
【図５】図３の第１の押圧部材を示す正面図である。
【図６】図３の第１の押圧部材を示す平面図である。
【図７】図４の第１の押圧部材を示す左側面図である。
【図８】図３の第２の押圧部材を示す正面図である。
【図９】図７の第２の押圧部材を示す平面図である。
【図１０】図７の第２の押圧部材を示す側面図である。
【図１１】図３の第１の押圧部材および第２の押圧部材を開いた状態を示す断面図である。
【図１２】図３の第１の押圧部材および第２の押圧部材を閉じた状態を示す正面図である。
【図１３】本発明の実施の形態２による旗クリップ装置を示す平面図である。
【図１４】図１２の押圧部材を示す正面図である。
【図１５】図１２の旗クリップ装置の正面図である。
【図１６】図１２の旗クリップ装置の変形例を示す平面図である。
【図１７】本発明の実施の形態３による旗クリップ装置を示す分解平面図である。
【図１８】図１４の旗クリップ装置の分解正面図である。
【図１９】図１６の旗クリップ装置の使用状態を示す正面図である。
【図２０】図１８の旗クリップ装置の平面図である。
【符号の説明】
【００３７】
１…第１の押圧部材
２…第２の押圧部材
３…ねじりばね（押圧付勢部材）
４，５…滑り止め部材
１４…押圧部材
１５…滑り止め部材
１６…蝶ナット（押圧付勢部材）
１９…押圧部材
２２…滑り止め部材
２４…筒状部材（押圧付勢部材）
【図１】
2006178217.tif 000003
【図２】
2006178217.tif 000004
【図３】
2006178217.tif 000005
【図４】
2006178217.tif 000006
【図５】
2006178217.tif 000007
【図６】
2006178217.tif 000008
【図７】
2006178217.tif 000009
【図８】
2006178217.tif 000010
【図９】
2006178217.tif 000011
【図１０】
2006178217.tif 000012
【図１１】
2006178217.tif 000013
【図１２】
2006178217.tif 000014
【図１３】
2006178217.tif 000015
【図１４】
2006178217.tif 000016
【図１５】
2006178217.tif 000017
【図１６】
2006178217.tif 000018
【図１７】
2006178217.tif 000019
【図１８】
2006178217.tif 000020
【図１９】
2006178217.tif 000021
【図２０】
2006178217.tif 000022